【手続補正書】
【提出日】平成25年9月13日(2013.9.13)
【手続補正１】
【補正対象書類名】明細書
【補正対象項目名】発明の名称
【補正方法】変更
【補正の内容】
【発明の名称】撮像装置、表示制御方法及びプログラム
【手続補正２】
【補正対象書類名】明細書
【補正対象項目名】０００１
【補正方法】変更
【補正の内容】
【０００１】
本発明は、撮像装置、表示制御方法及びプログラムに関し、特に、パノラマ撮像可能な撮像装置、表示制御方法及びプログラムに関する。
【手続補正３】
【補正対象書類名】明細書
【補正対象項目名】０００７
【補正方法】変更
【補正の内容】
【０００７】
上記目的を達成するため、請求項１の発明は、被写体を連続して撮像して複数の画像を出力する撮像手段と、略所定の方向に前記撮像手段の撮像範囲が移動されながら被写体が連続して撮像されている間に、当該撮像手段により出力される複数の画像を順次合成する画像合成手段と、前記撮像手段により被写体が連続して撮像されている間、前記画像合成手段により順次合成される画像が前記連続して撮像される画像に重畳した画像を表示手段に表示させる表示制御手段と、を備えた撮像装置であることを特徴とする。
また、請求項２に記載の発明は、上記請求項１に記載の発明において、前記表示制御手段は、前記撮像手段により連続して撮像される画像を前記画像合成手段により順次合成される画像に対して相対的に大きな表示形態で前記表示手段に表示させることを特徴とする。
また、請求項３に記載の発明は、上記請求項１又は２に記載の発明において、前記撮像手段により出力された複数の画像から特定の画像を所定のタイミング毎に取得する画像取得手段を更に備え、前記画像合成手段は、前記画像取得手段により所定のタイミング毎に取得された特定の画像を順次合成することを特徴とする。
【手続補正４】
【補正対象書類名】明細書
【補正対象項目名】０００８
【補正方法】変更
【補正の内容】
【０００８】
また、請求項４に記載の発明は、上記請求項１乃至３の何れか１項に記載の発明において、本撮像装置の移動量を算出する算出手段をさらに備え、前記画像取得手段は、前記算出手段により算出された移動量が所定の一定値に達するタイミング毎に前記複数の画像から特定の画像を取得することを特徴とする。
【手続補正５】
【補正対象書類名】明細書
【補正対象項目名】０００９
【補正方法】変更
【補正の内容】
【０００９】
また、請求項５に記載の発明は、上記請求項１乃至４の何れか１項に記載の発明において、前記表示制御手段は、前記順次合成される画像が縮小処理された画像を前記表示手段に表示させることを特徴とする。
【手続補正６】
【補正対象書類名】明細書
【補正対象項目名】００１０
【補正方法】変更
【補正の内容】
【００１０】
また、請求項６に記載の発明は、上記請求項５に記載の発明において、前記撮像手段から出力された複数の画像を縮小処理する第１の縮小処理手段をさらに備え、前記画像合成手段は、前記第１の縮小処理手段により縮小処理された複数の画像を順次合成し、前記表示制御手段は、前記画像合成手段により順次合成される画像を表示させることを特徴とする。
【手続補正７】
【補正対象書類名】明細書
【補正対象項目名】００１１
【補正方法】変更
【補正の内容】
【００１１】
また、請求項７に記載の発明は、上記請求項５に記載の発明において、前記画像合成手段により順次合成される画像を縮小処理する第２の縮小処理手段をさらに備え、前記表示制御手段は、前記第２の縮小処理手段により縮小処理された画像を前記表示手段に表示させることを特徴とする。
また、請求項８に記載の発明は、上記請求項１乃至７の何れか１項に記載の発明において、所定条件を満たした場合、前記順次合成された画像を記録用の画像として取得する取得する取得手段と、前記取得手段により記録用として取得された前記順次合成された画像を記録させる記録制御手段と、をさらに備えることを特徴とする。
また、請求項９に記載の発明は、上記請求項８に記載の発明において、前記算出手段により算出された移動量が所定の閾値以上であるか否かを判定する判定手段と、をさらに備え、前記取得手段は、前記判定手段により前記移動量が所定の閾値以上となったことを、前記所定の条件を満たした場合として、前記順次合成された画像を記録用の画像として取得することを特徴とする。
【手続補正８】
【補正対象書類名】明細書
【補正対象項目名】００１２
【補正方法】変更
【補正の内容】
【００１２】
また、上記目的を達成するため、請求項１０に記載の発明は、画像を表示手段に表示させる表示制御方法において、略所定の方向に撮像手段の撮像範囲が移動されながら被写体が連続して撮像されている間に、当該撮像手段により出力される複数の画像を順次合成する画像合成ステップと、前記撮像手段により被写体が連続して撮像されている間、前記画像合成ステップにより順次合成される画像を前記連続して撮像される画像に重畳して前記表示手段に表示させる表示制御ステップと、を含む表示制御方法であることを特徴とする。
【手続補正９】
【補正対象書類名】明細書
【補正対象項目名】００１３
【補正方法】変更
【補正の内容】
【００１３】
また、上記目的を達成するため、請求項１１に記載の発明は、コンピュータを、略所定の方向に撮像手段の撮像範囲が移動されながら撮像手段により被写体が連続して撮像されている間に、当該撮像手段により出力される複数の画像を順次合成する画像合成手段、前記撮像手段により被写体が連続して撮像されている間、前記画像合成手段により順次合成される画像を前記連続して撮像される画像に重畳して表示手段に表示させる表示制御手段、として機能させるプログラムであることを特徴とする。
【手続補正１０】
【補正対象書類名】特許請求の範囲
【補正対象項目名】全文
【補正方法】変更
【補正の内容】
【特許請求の範囲】
【請求項１】
被写体を連続して撮像して複数の画像を出力する撮像手段と、
略所定の方向に前記撮像手段の撮像範囲が移動されながら被写体が連続して撮像されている間に、当該撮像手段により出力される複数の画像を順次合成する画像合成手段と、
前記撮像手段により被写体が連続して撮像されている間、前記画像合成手段により順次合成される画像を前記連続して撮像される画像に重畳して表示手段に表示させる表示制御手段と、
を備えることを特徴とする撮像装置。
【請求項２】
前記表示制御手段は、前記撮像手段により連続して撮像される画像を前記画像合成手段により順次合成される画像に対して相対的に大きな表示形態で前記表示手段に表示させる
ことを特徴とする請求項１に記載の撮像装置。
【請求項３】
前記撮像手段により出力された複数の画像から特定の画像を所定のタイミング毎に取得する画像取得手段を更に備え、
前記画像合成手段は、前記画像取得手段により所定のタイミング毎に取得された特定の画像を順次合成することを特徴とする請求項１又は２に記載の撮像装置。
【請求項４】
本撮像装置の移動量を算出する算出手段をさらに備え、
前記画像取得手段は、前記算出手段により算出された移動量が所定の一定値に達するタイミング毎に前記複数の画像から特定の画像を取得することを特徴とする請求項１乃至３の何れか１項に記載の撮像装置。
【請求項５】
前記表示制御手段は、前記順次合成される画像が縮小処理された画像を前記表示手段に表示させることを特徴とする請求項１乃至４の何れか１項に記載の撮像装置。
【請求項６】
前記撮像手段から出力された複数の画像を縮小処理する第１の縮小処理手段をさらに備え、
前記画像合成手段は、前記第１の縮小処理手段により縮小処理された複数の画像を順次合成し、
前記表示制御手段は、前記画像合成手段により順次合成される画像を表示させる
ことを特徴とする請求項５に記載の撮像装置。
【請求項７】
前記画像合成手段により順次合成される画像を縮小処理する第２の縮小処理手段をさらに備え、
前記表示制御手段は、前記第２の縮小処理手段により縮小処理された画像を前記表示手段に表示させることを特徴とする請求項５に記載の撮像装置。
【請求項８】
所定条件を満たした場合、前記順次合成された画像を記録用の画像として取得する取得する取得手段と、
前記取得手段により記録用として取得された前記順次合成された画像を記録させる記録制御手段と、
をさらに備えることを特徴とする請求項１乃至７の何れか１項に記載の撮像装置。
【請求項９】
前記算出手段により算出された移動量が所定の閾値以上であるか否かを判定する判定手段と、
をさらに備え、
前記取得手段は、前記判定手段により前記移動量が所定の閾値以上となったことを、前記所定の条件を満たした場合として、前記順次合成された画像を記録用の画像として取得することを特徴とする請求項８に記載の撮像装置。
【請求項１０】
画像を表示手段に表示させる表示制御方法において、
略所定の方向に撮像手段の撮像範囲が移動されながら被写体が連続して撮像されている間に、当該撮像手段により出力される複数の画像を順次合成する画像合成ステップと、
前記撮像手段により被写体が連続して撮像されている間、前記画像合成ステップにより順次合成される画像が前記連続して撮像される画像に重畳して前記表示手段に表示させる表示制御ステップと、
を含むことを特徴とする表示制御方法。
【請求項１１】
コンピュータを、
略所定の方向に撮像手段の撮像範囲が移動されながら撮像手段により被写体が連続して撮像されている間に、当該撮像手段により出力される複数の画像を順次合成する画像合成手段、
前記撮像手段により被写体が連続して撮像されている間、前記画像合成手段により順次合成される画像が前記連続して撮像される画像に重畳して表示手段に表示させる表示制御手段、
して機能させることを特徴とするプログラム。